(57)【要約】【課題】非常用電源などとして使用されているフロート充電中の電池の定期検査が正確かつ省スペースで行える計測用端子を提供する。【解決手段】両側部にネジ穴１２ａを設けた２個の導電性部材１２と、２個の導電性部材１２を、それらの中央部間に被接続端子を配置して締結するための前記ネジ穴１２ａに通すネジ２を主要部とし、２個の導電性部材１２は、それらの中央部が被接続端子５と電気的に導通し、前記中央部以外では相互に電気的に絶縁される計測用端子。  本考案の計測用端子によれば、交流４端子法で電池の内部抵抗を計測するような場合、一方の導電性部材１２に電流リード線を接続し、他方の導電性部材１２に電圧リード線を接続することにより、両リード線間に電気的干渉が生じない。従って、内部抵抗などを正確に計測できる。【選択図】図３
0003135938.tif 000002
【実用新案登録請求の範囲】
【請求項１】
両側部にネジ穴を設けた２個の導電性部材と、前記２個の導電性部材を、それらの中央部間に被接続端子を配置して締結するための前記ネジ穴に通すネジを主要部とし、前記２個の導電性部材は、それらの中央部が前記被接続端子と電気的に導通し、前記中央部以外では相互に電気的に絶縁されることを特徴とする計測用端子。
【請求項２】
前記導電性部材は、その中央部が前記被接続端子の周囲を囲包するように形成されていることを特徴とする請求項１に記載の計測用端子。
【請求項３】
前記導電性部材の前記被接続端子と電気的に導通する個所にセレーションが設けられていることを特徴とする請求項１または２に記載の計測用端子。
【請求項４】
前記導電性部材の少なくとも１端部に計測器側の端子片を接続するための端子片が設けられていることを特徴とする請求項１乃至３のいずれかに記載の計測用端子。
【考案の詳細な説明】
【技術分野】
【０００１】
本考案は、非常用電源などとして使用されているフロート充電中の電池の電圧や内部抵抗などを計測する際に用いる計測用端子に関する。
【背景技術】
【０００２】
非常用電源などとして使用される電池は、直並列に多数接続され、電源に負荷と並列に電気接続されて常時充電（フロート充電）され、電源が停電したときは前記多数接続された電池から無瞬断で負荷に電力が供給される。そしてこれら電池は停電時に備えて電圧や内部抵抗が個々に定期的に検査される。この検査は、負荷が稼動しているときは電池は原則として切り離せないため、電源に接続された状態で行われる。
【０００３】
この検査は、従来、電池の被接続端子に計測用端子をボルト・ナットで取り付け、そこに計測器側の端子片を接続して行われていたが、近年、一体に形成された基板部と抱持部の間に被接続端子を配置し、この被接続端子を基板部に設けた押圧部材で押圧する、取付けが容易な計測用端子が提案された（特許文献１）。
【０００４】
【特許文献１】特開２００３−１２１４６１号公報
【考案の開示】
【考案が解決しようとする課題】
【０００５】
しかしながら、前記従来の計測用端子はいずれも一体型のため、例えば、内部抵抗を交流４端子法で計測するような場合、電流を流すリード線（電流リード線）と電圧をモニターするリード線（電圧リード線）とを前記一体型の計測用端子に接続するので、両者が電気的に干渉し合って正確な計測が行えないという問題があった。また計測用端子をもう１つ取り付けるのは電池の被接続端子部分が狭いためスペース的に困難であった。
本考案は、フロート充電中の電池の定期検査を正確に、かつ省スペースで行える計測用端子の提供を目的とする。
【課題を解決するための手段】
【０００６】
請求項１に記載の考案は、両側部にネジ穴を設けた２個の導電性部材と、前記２個の導電性部材を、それらの中央部間に被接続端子を配置して締結するための前記ネジ穴に通すネジを主要部とし、前記２個の導電性部材は、それらの中央部が前記被接続端子と電気的に導通し、前記中央部以外では相互に電気的に絶縁されることを特徴とする計測用端子である。
【０００７】
請求項２に記載の考案は、前記導電性部材は、その中央部が前記被接続端子の周囲を囲包するように形成されていることを特徴とする請求項１に記載の計測用端子である。
【０００８】
請求項３に記載の考案は、前記導電性部材の前記被接続端子と電気的に導通する個所にセレーションが設けられていることを特徴とする請求項１または２に記載の計測用端子である。
【０００９】
請求項４に記載の考案は、前記導電性部材の少なくとも１端部に計測器側の端子片を接続するための端子片が設けられていることを特徴とする請求項１乃至３のいずれかに記載の計測用端子である。
【考案の効果】
【００１０】
本考案の計測用端子は、両側部にネジ挿通穴を設けた２個の導電性部材と、前記２個の導電性部材を、それらの間に被接続端子を配置して互いの導電性部材を締結するための前記ネジ挿通穴に通すネジを主要部とし、前記２個の導電性部材は、中央部が前記被接続端子と電気的に導通し、前記中央部以外では相互に電気的に絶縁されるので、例えば、交流４端子法で内部抵抗を計測するような場合、例えば、２個の導電性部材の一方の端部に電流リード線を接続し、他方の端部に電圧リード線を接続することにより、両リード線間には電気的干渉が生じず、従って内部抵抗などが正確に計測できる。
【００１１】
本考案の計測用端子は、２個の導電性部材で電池の被接続端子を挟み、前記２個の導電性部材の両側部に開けたネジ挿通穴にネジを通して前記２個の導電性部材を締結して用いられるもので、被接続端子に計測用端子をもう１つ取り付ける場合に比べてスペースを取らない。
【００１２】
本考案の計測用端子は、前記導電性部材を、その中央部が前記被接続端子の周囲を囲包するように形成することにより、導電性部材と被接続端子の接触面積が増大して電気的接続が良好となり、内部抵抗などをより正確に計測できる。
【００１３】
本考案の計測用端子は、導電性部材の被接続端子と電気的に導通する個所にセレーションを設けておくことにより、両者の導通（接触）状態が良好となり、種々の計測がより正確に安定して行える。
【００１４】
本考案の計測用端子は、導電性部材の少なくとも一端に端子片を設けておくことにより計測器側の端子片を容易に着脱でき、検査が効率よく行える。なお、従来の計測用端子は計測器側の端子片を前記計測用端子に圧着接続するため着脱に手間を要した。
【考案を実施するための最良の形態】
【００１５】
本考案の計測用端子の第１の実施形態は、図１（イ）に示すように、対向する２個の平板からなる直線状の導電性部材１、１と、それぞれの導電性部材１、１の両側部に設けたネジ挿通穴１ａ、１ａに通す２個のネジ２、２を主要部とする。図１（イ）で３は計測器側の端子片を接続するための端子片で、導電性部材１から一体に突出して幅狭に形成されている。４は絶縁ブッシュである。
【００１６】
この計測用端子は、図１（ロ）に示すように、対向する２個の直線状の導電性部材１、１の間に被接続端子５を配置し、導電性部材１の両側部に設けたネジ挿通穴１ａにネジ２を通して２個の導電性部材１を互いに締結して用いられる。
【００１７】
前記被接続端子とは、例えば、鉛蓄電池の端子、これら鉛蓄電池の多数を直並列に接続する接続体、或は接続体を端子に接続するために使用されるボルト、ナットなどである。
【００１８】
本考案において、前記２個の導電性部材１、１を締結する際は互いに電気的に絶縁されることが必要である。例えば、２個の導電性部材１を間隔を開けて配置し、さらにネジ締結部分を電気的に絶縁する必要がある。そして前記ネジ締結部分を電気的に絶縁するには、ネジ２を非導電性のプラスッチック材料やセラミック材料で形成する方法、或いは金属製ネジと導電性部材の接触箇所に絶縁材料を介在させて絶縁する方法などが適用される。
上記の実施形態では、ネジ頭部２ａが位置する側の導電性部材１のネジ挿通穴１ａに断面Ｔ字形の絶縁ブッシュ４を挿通し、他方の導電性部材１のネジ挿通穴１ａは、必要によりバーリング加工を施して、その内面にネジを刻印したネジ挿通穴とし、ネジ２で締結する際は、ネジ２を絶縁ブッシュ４内に挿通し次いでネジを刻印したネジ挿通穴に螺合挿通してネジ頭部２ａとネジの螺合により２個の導電性部材１、１を被接続端子５を挟んで締結したものを示した。従って、２個の導電性部材１、１は、被接続端子５で導通し、その他の部分は互いに締結すると言えども、離間と絶縁ブッシュ４により互いの電気的な絶縁は確保される。
【００１９】
そして、２個の導電性部材１は、その中央部が被接続端子５と電気的に導通し、前記中央部以外では電気的に絶縁されるので、一方の導電性部材１に電流リード線を接続し、他方の導電性部材１に電圧リード線を接続することでリード線同士が干渉せず、電池の内部抵抗が正確に計測できる。
【００２０】
導電性部材１へのリード線の接続においては、図示の通り導電性部材１の端部に計測器側のリード線端子（図示せず）を接続するための端子片３を突設して設けておくと、計測器側リード線端子との接続が容易に行える。この端子片３は雄雌嵌合型の端子片が着脱が容易に行えて望ましい。どちらが雄でどちらが雌でも良い。また端子片３は導電性部材の両端に設けておくと使い勝手が良い。
なお、上記においては２個の導電性部材１、１を締結する締結具としてネジを用いた例を示したが、導電性部材１にネジ挿通穴を形成し、ここにボルトを挿通してナットにより締付け互いに締結しても良い。
【００２１】
図２に示した計測用端子は、両側部を１箇所ずつ同方向に直角に曲げた断面凸状の導電性部材１１と直線状の導電性部材１とを組み合わせて被接続端子５の周囲を囲包するようにしたもの、図３に示した計測用端子は両側部をそれぞれ１箇所ずつ逆方向に直角に曲げた断面略Ｚ状の導電性部材１２を２個組合わせて被接続端子５の周囲を囲包するようにしたもの、図４に示した計測用端子は断面凸状に形成した導電性部材１１を２個組合わせて、電池の端子と電気的に導通した六角ボルト６からなる被接続体の周囲を囲包するようにしたものである。
図２〜図４に示した計測用端子はいずれも被接続端子５と、導電性部材１、１１、１２との接触面積が増大するので、より正確な計測が安定して行える。なお、いずれの場合も上記第１の実施形態で説明した様に２個の導電性部材は被接続端子とは電気的に導通しているも、締結部分も含めその他部分では電気的に絶縁されている。
【００２２】
図５（イ）、（ロ）に示した計測用端子は、導電性部材１２（１１）の所要箇所にセレーション７を設けたもので、このセレーション７により、被接続端子５（或いは前記六角ボルト６）の表面の酸化膜が破れ、また接触面積が増大して双方の接続状態が良好となり、より正確な計測が安定して行える。
【００２３】
本考案において、導電性部材には、鉛メッキした銅や銅合金、ニッケルメッキした鉄などの導電性材料が、また金属製ネジには高強度の鉄鋼材、ステンレス材などが好適に用いられる。
【図面の簡単な説明】
【００２４】
【図１】本考案の第１の実施形態を示し、（イ）は平面説明図、（ロ）使用状態を示す平面説明図。
【図２】本考案の他の実施形態の使用状態を示す平面説明図。
【図３】本考案の他の実施形態の使用状態を示す平面説明図。
【図４】本考案の他の実施形態の使用状態を示す平面説明図。
【図５】本考案の他の実施形態の使用状態を示す平面部分部図で（イ）、（ロ）それぞれ異なった被接続端子への使用状態を示す図である。
【符号の説明】
【００２５】
１    導電性部材（直線状）
１ａ  導電性部材（直線状）の両側部に設けられたネジ挿通穴
１１  導電性部材（凸状）
１１ａ導電性部材（凸状）の両側部に設けられたネジ挿通穴
１２  導電性部材（略Ｚ状）
１２ａ導電性部材（略Ｚ状）の両側部に設けられたネジ挿通穴
２    ネジ
２ａ  ネジ頭部
３    導電性部材の端部に設けられた端子片
４    絶縁ブッシュ
５    被接続端子
６    六角ボルト（被接続端子）
７    セレーション
【図２】
0003135938.tif 000003
【図３】
0003135938.tif 000004
【図４】
0003135938.tif 000005
【図５】
0003135938.tif 000006
【図１】
0003135938.tif 000007